(57)【要約】      （修正有）【課題】コンテンツの代わりに表示する複数の代替コンテンツの中から、表示する代替コンテンツを決定し、表示するコンテンツ表示システム等を提供する。【解決手段】コンテンツ表示システム１において、管理サーバ装置１０は、表示制御装置２０によって表示制御されるコンテンツに対応する第１の代替コンテンツと、第１の代替コンテンツ以外の第２の代替コンテンツとを含む代替コンテンツを表示装置３０に送信し、代替コンテンツの表示を要求する代替コンテンツ表示要求を表示装置に送信する。表示装置は、サーバ装置から受信した代替コンテンツを記憶し、代替コンテンツ表示要求を受信したとき、代替コンテンツの中から、表示する代替コンテンツを決定し、決定された代替コンテンツを表示する。【選択図】図１
2020030570.tif 000002
【特許請求の範囲】
【請求項１】
コンテンツを送信するサーバ装置と、コンテンツを表示する表示装置と、前記サーバ装置から送信されるコンテンツを前記表示装置に表示制御する表示制御装置と、を備えたコンテンツ表示システムにおいて、
前記サーバ装置は、
前記表示制御装置によって表示制御されるコンテンツに対応する第１の代替コンテンツと、前記第１の代替コンテンツ以外の第２の代替コンテンツとを含む代替コンテンツを前記表示装置に送信する代替コンテンツ送信手段と、
前記代替コンテンツの表示を要求する代替コンテンツ表示要求を前記表示装置に送信する代替コンテンツ表示要求送信手段と、
を備え、
前記表示装置は、
前記サーバ装置から受信した代替コンテンツを記憶する代替コンテンツ記憶手段と、
前記代替コンテンツ表示要求を受信したとき、前記代替コンテンツの中から、表示する代替コンテンツを決定する代替コンテンツ決定手段と、
前記決定された代替コンテンツを表示する代替コンテンツ表示手段と、
を備えることを特徴とするコンテンツ表示システム。
【請求項２】
前記サーバ装置は、前記表示制御装置によって表示制御を行うコンテンツのスケジュールに基づき、前記表示装置が表示する前記代替コンテンツの優先順位を決定する優先順位決定手段を更に備え、
前記代替コンテンツ表示要求送信手段は、前記優先順位の情報を含めた代替コンテンツ表示要求を前記表示装置に送信し、
前記代替コンテンツ決定手段は、前記優先順位に基づいて表示する代替コンテンツを決定することを特徴とする請求項１に記載のコンテンツ表示システム。
【請求項３】
前記サーバ装置は、前記表示制御装置によって表示制御を行うコンテンツのスケジュールに関する情報であるスケジュール情報を前記表示装置に送信するスケジュール情報送信手段を更に備え、
前記表示装置は、前記スケジュール情報を記憶するスケジュール記憶手段を更に備え、
前記代替コンテンツ決定手段は、前記スケジュール情報に基づき、前記代替コンテンツのうち、表示する代替コンテンツを決定することを特徴とする請求項１に記載のコンテンツ表示システム。
【請求項４】
前記代替コンテンツ送信手段は、前記代替コンテンツを変換してから送信することを特徴とする請求項１から３の何れか一項に記載のコンテンツ表示システム。
【請求項５】
前記代替コンテンツ送信手段は、前記代替コンテンツに対して、フレームレートの低減、ビットレートの低減、コンテンツの形式の変換のうち、少なくとも１つの手段により前記代替コンテンツを変換することを特徴とする請求項４に記載のコンテンツ表示システム。
【請求項６】
コンテンツを送信するサーバ装置と、前記サーバ装置から送信されるコンテンツに基づく表示制御を行う表示制御装置とに接続可能な表示装置であって、
前記サーバ装置から、前記表示制御装置によって表示制御されるコンテンツに対応する第１の代替コンテンツと、前記第１の代替コンテンツ以外の第２の代替コンテンツとを含む代替コンテンツを前記表示装置とを受信する代替コンテンツ受信手段と、
前記サーバ装置から、前記代替コンテンツの表示を要求する代替コンテンツ表示要求を受信する代替コンテンツ表示要求受信手段と、
前記代替コンテンツ表示要求を受信したとき、前記代替コンテンツの中から、表示する代替コンテンツを決定する代替コンテンツ決定手段と、
前記決定された代替コンテンツを表示する代替コンテンツ表示手段と、
を備えることを特徴とする表示装置。
【請求項７】
コンテンツを送信するサーバ装置と、前記サーバ装置から送信されるコンテンツに基づく表示制御を行う表示制御装置とに接続可能な表示装置における表示方法であって、
前記サーバ装置から、前記表示制御装置によって表示制御されるコンテンツに対応する第１の代替コンテンツと、前記第１の代替コンテンツ以外の第２の代替コンテンツとを含む代替コンテンツを前記表示装置とを受信する代替コンテンツ受信ステップと、
前記サーバ装置から、前記代替コンテンツの表示を要求する代替コンテンツ表示要求を受信する代替コンテンツ表示要求受信ステップと、
前記代替コンテンツ表示要求を受信したとき、前記代替コンテンツの中から、表示する代替コンテンツを決定する代替コンテンツ決定ステップと、
前記決定された代替コンテンツを表示する代替コンテンツ表示ステップと、
を含むことを特徴とする表示方法。
【請求項８】
コンテンツを送信するサーバ装置と、前記サーバ装置から送信されるコンテンツに基づく表示制御を行う表示制御装置とに接続可能な表示装置のコンピュータに、
前記サーバ装置から、前記表示制御装置によって表示制御されるコンテンツに対応する第１の代替コンテンツと、前記第１の代替コンテンツ以外の第２の代替コンテンツとを含む代替コンテンツを前記表示装置とを受信する代替コンテンツ受信機能と、
前記サーバ装置から、前記代替コンテンツの表示を要求する代替コンテンツ表示要求を受信する代替コンテンツ表示要求受信機能と、
前記代替コンテンツ表示要求を受信したとき、前記代替コンテンツの中から、表示する代替コンテンツを決定する代替コンテンツ決定機能と、
前記決定された代替コンテンツを表示する代替コンテンツ表示機能と、
を実現させることを特徴とするプログラム。
【発明の詳細な説明】
【技術分野】
【０００１】
本発明は、コンテンツ表示システム等に関する。
【背景技術】
【０００２】
近年、駅の構内や、ショッピングセンターといった人の多いところに、表示装置を配置し、そこに広告等のコンテンツを表示するコンテンツ表示装置として、いわゆるデジタルサイネージが普及している（例えば、特許文献１参照）。
【０００３】
デジタルサイネージにおいては、表示装置を設置した後、当該表示装置を管理するサーバから、コンテンツの配信を受けることにより、配信されたコンテンツを表示装置で表示することが一般的に行われている。
【０００４】
また、表示装置でコンテンツが適切に表示されるように、種々の工夫がなされている。例えば、特許文献１には、画像表示装置に、ネットワークを介してＷｅｂコンテンツデータを取得するネットワークＩ／Ｆと、Ｗｅｂコンテンツデータを記憶するための外部メモリと接続可能に構成されかつ接続された外部メモリからＷｅｂコンテンツデータを取得する外部メモリＩ／Ｆとを備えている。更に、画像表示装置は、ネットワークＩ／Ｆを介して取得したＷｅｂコンテンツデータと、外部メモリＩ／Ｆを介して取得したＷｅｂコンテンツデータのうちの一方を選択するＷｅｂコンテンツ選択部と、Ｗｅｂコンテンツ選択部が選択したＷｅｂコンテンツデータを解釈し描画するＷｅｂブラウザと、Ｗｅｂブラウザが描画した描画データを表示する表示部である表示パネルとを備えることで、ネットワークの障害が発生した場合にも画像表示を継続できる技術が開示されている。
【先行技術文献】
【特許文献】
【０００５】
【特許文献１】特開２０１５−３５０３８号公報
【発明の概要】
【発明が解決しようとする課題】
【０００６】
上述したデジタルサイネージにおいて利用されるコンテンツ表示システムにおいて、表示装置がコンテンツを表示しているときに、表示装置がコンテンツの配信を受けると、表示装置が処理すべきジョブが多くなり、コンテンツの表示が乱れたり、止まってしまったりするなどの表示上の不具合を引き起こすことがあった。
【０００７】
また、近年では、表示装置にコンテンツの簡易再生を可能とする簡易再生機能を備え、コンテンツを簡易再生機能によって再生（表示）することが可能な表示装置も存在する。そこで、表示装置がコンテンツの配信を受けているときに、予め記憶されたコンテンツを簡易再生することによって表示する技術が提案されている。この技術によれば、本来表示されるコンテンツの代わりとなるコンテンツを表示し、デジタルサイネージとしての品質、信頼性を損なわれてしまう問題を回避できる。しかし、広告出稿者との契約等によって表示するコンテンツを管理している場合等は、本来表示されるはずのコンテンツの代わりに表示するコンテンツとしては、本来表示されるはずのコンテンツと関連するコンテンツが再生されることが望ましい。
【０００８】
上記事情に鑑み、本発明は、コンテンツの代わりに表示する複数の代替コンテンツの中から、表示する代替コンテンツを決定し、表示するコンテンツ表示システム等を提供することを目的とする。
【課題を解決するための手段】
【０００９】
上述した課題を解決するために、本発明のコンテンツ表示システムは、
コンテンツを送信するサーバ装置と、コンテンツを表示する表示装置と、前記サーバ装置から送信されるコンテンツを前記表示装置に表示制御する表示制御装置と、を備えたコンテンツ表示システムにおいて、
前記サーバ装置は、
前記表示制御装置によって表示制御されるコンテンツに対応する第１の代替コンテンツと、前記第１の代替コンテンツ以外の第２の代替コンテンツとを含む代替コンテンツを前記表示装置に送信する代替コンテンツ送信手段と、
前記代替コンテンツの表示を要求する代替コンテンツ表示要求を前記表示装置に送信する代替コンテンツ表示要求送信手段と、
を備え、
前記表示装置は、
前記サーバ装置から受信した代替コンテンツを記憶する代替コンテンツ記憶手段と、
前記代替コンテンツ表示要求を受信したとき、前記代替コンテンツの中から、表示する代替コンテンツを決定する代替コンテンツ決定手段と、
前記決定された代替コンテンツを表示する代替コンテンツ表示手段と、
を備えることを特徴とする。
【００１０】
本発明の表示装置は、
コンテンツを送信するサーバ装置と、前記サーバ装置から送信されるコンテンツに基づく表示制御を行う表示制御装置とに接続可能な表示装置であって、
前記サーバ装置から、前記表示制御装置によって表示制御されるコンテンツに対応する第１の代替コンテンツと、前記第１の代替コンテンツ以外の第２の代替コンテンツとを含む代替コンテンツを前記表示装置とを受信する代替コンテンツ受信手段と、
前記サーバ装置から、前記代替コンテンツの表示を要求する代替コンテンツ表示要求を受信する代替コンテンツ表示要求受信手段と、
前記代替コンテンツ表示要求を受信したとき、前記代替コンテンツの中から、表示する代替コンテンツを決定する代替コンテンツ決定手段と、
前記決定された代替コンテンツを表示する代替コンテンツ表示手段と、
を備えることを特徴とする。
【００１１】
本発明の表示方法は、
コンテンツを送信するサーバ装置と、前記サーバ装置から送信されるコンテンツに基づく表示制御を行う表示制御装置とに接続可能な表示装置における表示方法であって、
前記サーバ装置から、前記表示制御装置によって表示制御されるコンテンツに対応する第１の代替コンテンツと、前記第１の代替コンテンツ以外の第２の代替コンテンツとを含む代替コンテンツを前記表示装置とを受信する代替コンテンツ受信ステップと、
前記サーバ装置から、前記代替コンテンツの表示を要求する代替コンテンツ表示要求を受信する代替コンテンツ表示要求受信ステップと、
前記代替コンテンツ表示要求を受信したとき、前記代替コンテンツの中から、表示する代替コンテンツを決定する代替コンテンツ決定ステップと、
前記決定された代替コンテンツを表示する代替コンテンツ表示ステップと、
を含むことを特徴とする。
【００１２】
本発明のプログラムは、
コンテンツを送信するサーバ装置と、前記サーバ装置から送信されるコンテンツに基づく表示制御を行う表示制御装置とに接続可能な表示装置のコンピュータに、
前記サーバ装置から、前記表示制御装置によって表示制御されるコンテンツに対応する第１の代替コンテンツと、前記第１の代替コンテンツ以外の第２の代替コンテンツとを含む代替コンテンツを前記表示装置とを受信する代替コンテンツ受信機能と、
前記サーバ装置から、前記代替コンテンツの表示を要求する代替コンテンツ表示要求を受信する代替コンテンツ表示要求受信機能と、
前記代替コンテンツ表示要求を受信したとき、前記代替コンテンツの中から、表示する代替コンテンツを決定する代替コンテンツ決定機能と、
前記決定された代替コンテンツを表示する代替コンテンツ表示機能と、
を実現させることを特徴とする。
【発明の効果】
【００１３】
本発明によれば、表示装置は、サーバ装置から送信される複数の代替コンテンツの中から、表示する代替コンテンツを決定し、代替コンテンツを表示することが可能である。このようにすることで、記憶されている代替コンテンツを単に表示するのではなく、記憶されている代替コンテンツの中で、表示に適切な代替コンテンツを決定し、表示することができる。
【図面の簡単な説明】
【００１４】
【図１】第１実施形態におけるコンテンツ表示システムの全体構成を説明するための図である。
【図２】第１実施形態における管理サーバ装置の機能構成を説明するための図である。
【図３】第１実施形態におけるスケジュール情報のデータ構成の一例を示した図である。
【図４】第１実施形態における優先順位情報のデータ構成の一例を示した図である。
【図５】第１実施形態における簡易再生部仕様情報のデータ構成の一例を示した図である。
【図６】第１実施形態における制御装置の機能構成を説明するための図である。
【図７】第１実施形態における表示装置の機能構成を説明するための図である。
【図８】第１実施形態におけるシーケンス図である。
【図９】第１実施形態における管理サーバ装置のメイン処理の流れを説明するためのフロー図である。
【図１０】第１実施形態における管理サーバ装置のメイン処理の流れを説明するためのフロー図である。
【図１１】第１実施形態における制御装置のメイン処理の流れを説明するためのフロー図である。
【図１２】第１実施形態における表示装置のメイン処理の流れを説明するためのフロー図である。
【図１３】第１実施形態における表示装置のメイン処理の流れを説明するためのフロー図である。
【図１４】第１実施形態における動作例を示す図である。
【図１５】第１実施形態における動作例を示す図である。
【図１６】第１実施形態における動作例を示す図である。
【図１７】第２実施形態における管理サーバ装置の機能構成を説明するための図である。
【図１８】第２実施形態における表示装置の機能構成を説明するための図である。
【発明を実施するための形態】
【００１５】
以下、本発明の実施の形態について、図面を参照して説明する。なお、本実施形態では、本発明を適用したコンテンツ表示システムについて説明する。
【００１６】
［１．第１実施形態］
［１．１  全体構成］
まず、本実施形態のコンテンツ表示システム１の全体構成について、図１に基づいて説明する。図１に示すように、コンテンツ表示システム１は、管理サーバ装置１０と、制御装置２０と、表示装置３０とが、ネットワークＮＷを介して接続されている。
【００１７】
図１においては、管理サーバ装置１０と、制御装置２０と、表示装置３０とが、ＬＡＮ（Local Area Network）を介して同一のネットワークで接続されていることとして図示しているが、これ以外の接続構成としてもよい。例えば、管理サーバ装置１０と、制御装置２０と、表示装置３０とは、インターネット等の外部ネットワークを介して接続されてもよい。また、ＬＡＮの代わりに他の通信可能な手段（例えば、ＲＳ−２３２Ｃ等のシリアルインターフェイス）によって接続されてもよい。
【００１８】
管理サーバ装置１０は、制御装置２０及び表示装置３０に送信（配信）するコンテンツを記憶し、送信するサーバである。管理サーバ装置１０は、例えば、サイネージシステムの管理者や広告主といった、デジタルサイネージのサービス提供者や、コンテンツの送信を所望する者によって利用される。
【００１９】
制御装置２０は、管理サーバ装置１０から受信したコンテンツを表示装置３０に表示する制御を行う表示制御装置である。図１に示すように、制御装置２０と表示装置３０とはネットワークＮＷに複数台接続可能である。また、１台の制御装置２０に対して、１又は複数台の表示装置３０が接続される。図１の例では、ネットワークＮＷには、制御装置２０として、制御装置２０ａと制御装置２０ｂとの２台の制御装置２０が接続されている。また、制御装置２０ａには表示装置３０として表示装置３０ａが、制御装置２０ｂには表示装置３０として表示装置３０ｂが、それぞれ接続されている。
【００２０】
本実施形態におけるコンテンツとは、表示装置３０に表示可能な動画、静止画、ドキュメントによって構成されるデータである。例えば、データはファイルとして表現され、動画コンテンツであれば、制御装置２０に記憶された動画ファイル（例えば、ｍｐｇファイル、ｗｍｖファイル、ａｖｉファイル）を、再生・出力処理することにより、動画コンテンツが表示装置３０に表示される。同様にして、制御装置２０は、静止画コンテンツであれば静止画ファイル（例えば、ｊｐｇファイル、ｇｉｆファイル、ｐｎｇファイル）を、表示・出力処理する。ドキュメントコンテンツであればドキュメントファイル（例えば、ＰＤＦ（Portable Document Format）ファイル、ＨＴＭＬ（HyperText Markup Language）ファイル、プレゼンテーション用のファイル）を、表示・出力処理する。
【００２１】
［１．２  機能構成］
［１．２．１  管理サーバ装置の機能構成］
管理サーバ装置１０の機能構成について、図２を参照して説明する。図２に示すように、管理サーバ装置１０は制御部１００と、通信部１１０と、記憶部１２０とを備えて構成される。
【００２２】
制御部１００は、管理サーバ装置１０の全体を制御するための機能部である。制御部１００は、各種プログラムを読み出して実行することにより各種機能を実現しており、１又は複数の演算装置（例えば、ＣＰＵ（Central Processing Unit））により構成されている。
【００２３】
通信部１１０は、管理サーバ装置１０が外部機器と通信を行うための機能部である。例えば、有線／無線ＬＡＮで利用されるＮＩＣ（Network Interface Card）により構成される。通信方式としては、Ｅｔｈｅｒｎｅｔ（登録商標）やＩＥＥＥ８０２．１１ａ／ｂ／ｇ／ｎであってもよい。
【００２４】
記憶部１２０は、管理サーバ装置１０の動作に必要な各種プログラムや、各種データを記憶する機能部である。記憶部１２０は、例えば、半導体メモリであるＳＳＤ（Solid State Drive）や、ＨＤＤ（Hard Disk Drive）等により構成される。
【００２５】
本実施形態において、記憶部１２０には、コンテンツ記憶領域１２２と、スケジュール情報記憶領域１２４と、特定代替コンテンツ記憶領域１２６と、汎用代替コンテンツ記憶領域１２８とが確保され、更に、優先順位情報１３０と、簡易再生部仕様情報１３２とが記憶される。
【００２６】
コンテンツ記憶領域１２２は、制御装置２０に送信（配信）するコンテンツを記憶する領域である。コンテンツ記憶領域１２２には異なる複数のコンテンツが記憶されてもよく、それぞれのコンテンツはコンテンツ名によって識別される。コンテンツ名とは、コンテンツを識別するための情報であり、「ＣＭ１」、「新製品紹介」といった文字列や、「００１」「００２」といった連番等によって表される。
【００２７】
コンテンツ名は、コンテンツ毎に、属性として付与されてもよいし、記憶部１２０に、コンテンツと、コンテンツ名とを対応させたテーブルを記憶してもよい。また、コンテンツ記憶領域１２２にコンテンツとしてファイルを記憶する場合は、例えば、ファイル名にコンテンツ名を含めたファイルを記憶してもよい。
【００２８】
さらに、１つのコンテンツが複数のファイルによって構成されてもよい。この場合は、コンテンツ名をフォルダ名としたフォルダにファイルを記憶されていてもよいし、１又は複数のファイルを一つのファイルにまとめて（例えば、ＺＩＰ形式やＣＡＢ形式でアーカイブする）、そのまとめたファイルのファイル名にコンテンツ名を含めてもよい。
【００２９】
例えば、ファイル名によってコンテンツを識別する場合において、ファイル名のベース名（ファイル名のうち拡張子を除いた部分）をコンテンツ名とする。このとき、ファイル名が「CM1.avi」であるファイルは、「ＣＭ１」のコンテンツであることが識別できる。
【００３０】
スケジュール情報記憶領域１２４は、制御装置２０が出力するコンテンツのスケジュールであるスケジュール情報を記憶する領域である。図３は、本実施形態におけるスケジュール情報の例を示した図である。図３に示すように、スケジュール情報には、コンテンツの出力を開始する開始日時（例えば、「７／１  １０：００」）と、コンテンツの出力を終了する終了日時（例えば、「７／１  １２：００」）と、開始日時と、終了日時までの時間において出力するコンテンツを識別するためのコンテンツ名（例えば、「ＣＭ１」）とが記憶される。
【００３１】
特定代替コンテンツ記憶領域１２６及び汎用代替コンテンツ記憶領域１２８は、代替コンテンツを記憶する領域である。代替コンテンツとは、制御装置２０の負荷が上がる等の理由により、制御装置２０が表示装置３０に対する表示の制御ができないときに、表示装置３０が備える簡易再生部３３０によって再生される広告等のコンテンツである。表示装置３０が備える簡易再生部３３０は、簡易再生機能を実現する機能部である。簡易再生部３３０については表示装置３０の機能構成の説明において詳述する。
【００３２】
特定代替コンテンツ記憶領域１２６は、特定のコンテンツに対応する代替コンテンツである特定代替コンテンツ（第１の代替コンテンツ）を記憶する領域である。特定代替コンテンツ記憶領域１２６に記憶されるコンテンツとは、表示装置３０で表示可能な動画コンテンツや静止画コンテンツであり、例えば、ファイルとして記憶される。
【００３３】
特定代替コンテンツ記憶領域１２６は、特定代替コンテンツ毎に、特定代替コンテンツと対応するコンテンツを特定可能な方法で記憶する。例えば、特定代替コンテンツに対応するコンテンツのコンテンツ名（以下、「対応コンテンツ名」という）の情報が属性として含まれていてもよいし、記憶部１２０に、対応コンテンツ名と、特定代替コンテンツとを対応させたテーブルを記憶してもよい。
【００３４】
また、特定代替コンテンツ記憶領域１２６にファイルを記憶する場合は、ファイル名やフォルダ名に対応コンテンツ名を含めてもよい。例えば、ファイル名の先頭からハイフンまでを対応コンテンツ名とするとき、特定代替コンテンツのファイル名が「CM1-s.avi」であるファイルは、「ＣＭ１」の特定代替コンテンツであることが識別できる。
【００３５】
特定代替コンテンツ記憶領域１２６には、例えば以下の方法によってコンテンツが記憶される。
（１）コンテンツ記憶領域１２２に記憶されたコンテンツをコピーする
（２）後述する簡易再生部仕様情報１３２に基づき、コンテンツ記憶領域１２２に記憶されたコンテンツを簡易再生部３３０が再生可能なコンテンツに変換して記憶する
（３）管理者や広告主が用意した特定代替コンテンツを記憶する
【００３６】
コンテンツの変換は、例えば、変換対象のコンテンツが動画コンテンツである場合は、フレームレートを下げたり、ビットレートを下げたり、コンテンツの形式を変更（例えば、再エンコードや、ファイルフォーマットの変更）したり、コンテンツの一部分を抽出することによって行う。また、変換対象のコンテンツが静止画コンテンツであれば、コンテンツの形式を変更したり、解像度を下げたりすることによって変換を行う。
【００３７】
コンテンツの変換は、代替コンテンツを送信する表示装置３０毎に行い、変換後のコンテンツを、表示装置３０毎に特定代替コンテンツ記憶領域１２６に記憶してもよい。例えば、変換前の動画コンテンツのフレームレートが３０フレーム／秒であり、ある表示装置３０の簡易再生部３３０が簡易再生可能な動画コンテンツのフレームレートが最大１５フレーム／秒であるとする。この場合は、管理サーバ装置１０は、動画コンテンツのフレームレートを１５フレーム／秒に変換して、特定代替コンテンツ記憶領域１２６として記憶する。また、別の表示装置３０の簡易再生部３３０が簡易再生可能な動画コンテンツのフレームレートが最大１０フレーム／秒であるとする。この場合は、管理サーバ装置１０は、動画コンテンツのフレームレートを１０フレーム／秒に変換して、特定代替コンテンツ記憶領域１２６に記憶する。このとき、変換された２つの動画コンテンツは、別の動画コンテンツとして記憶する。そして、管理サーバ装置１０は、特定代替コンテンツを表示装置３０へ送信するときは、送信先の表示装置３０で出力可能な動画コンテンツ送信する。
【００３８】
また、複数の表示装置３０が管理サーバ装置１０に接続される場合は、標準的な能力を有する簡易再生部３３０で再生可能なコンテンツに変換して、１つのコンテンツに対して、１つの代替コンテンツを記憶してもよい。なお、標準的な能力を有する簡易再生部３３０で再生可能なコンテンツに変換する代わりに、最低の能力を有する簡易再生部３３０で再生可能なコンテンツに変換してもよい。
【００３９】
また、上述した（１）〜（３）の方法を組み合わせてもよい。例えば、（１）と（２）とを組み合わせてもよい。この場合は、簡易再生部３３０で再生可能であるコンテンツを、そのまま特定代替コンテンツとし、簡易再生部３３０で再生可能でないコンテンツは、コンテンツの変換を行った上で特定代替コンテンツとすることができる。
【００４０】
汎用代替コンテンツ記憶領域１２８は、任意のタイミングで表示可能な代替コンテンツである汎用代替コンテンツ（第２の代替コンテンツ）を記憶する領域である。汎用代替コンテンツ記憶領域１２８には、特定代替コンテンツ記憶領域１２６と同様に、動画コンテンツや、静止画コンテンツが記憶される。
【００４１】
なお、汎用代替コンテンツ記憶領域１２８に記憶される少なくとも１のコンテンツは、管理サーバ装置１０と接続されている表示装置３０の何れもが表示可能なコンテンツとしてもよい。このようにすることで、特定代替コンテンツが表示装置３０で表示できない場合であっても、表示装置３０は汎用代替コンテンツを表示することが可能となり、表示装置３０に何も表示されないといった事故を防ぐことが可能となる。表示装置３０の何れもが表示可能なコンテンツは、予め管理者によって用意されてもよいし、汎用代替コンテンツ記憶領域１２８に記憶されているコンテンツを変換して記憶（上書き）してもよい。
【００４２】
優先順位情報１３０は、表示装置３０に送信した代替コンテンツのうち、表示装置３０によって表示される代替コンテンツの優先順位を特定するための情報である。図４は、本実施形態における優先順位情報の例を示した図である。図４に示すように、優先順位情報として、優先順位（例えば、「１」）と、表示する代替コンテンツを特定するための代替コンテンツ名（例えば、「ＣＭ２」）とが記憶される。
【００４３】
代替コンテンツ名は、特定代替コンテンツ及び汎用代替コンテンツの何れかの代替コンテンツを特定可能な情報である。本実施形態では、特定代替コンテンツを特定する場合は、対応コンテンツ名を記憶することとして説明する。例えば、代替コンテンツ名が「ＣＭ２」であれば、対応コンテンツ名が「ＣＭ２」である特定代替コンテンツ、すなわち、「ＣＭ２」に対応する特定代替コンテンツが特定される。また、動画の汎用代替コンテンツを特定する場合は、「汎用代替コンテンツ（動画）」とし、静止画の汎用コンテンツを特定する場合は、「汎用代替コンテンツ（静止画）」とする。
【００４４】
なお、１又は複数の代替コンテンツが特定できれば、上記以外の代替コンテンツ名を記憶してもよい。例えば、「ＣＭ１  ｏｒ  ＣＭ３」といったように複数の対応コンテンツ名を指定してもよいし、代替コンテンツのファイル名を１又は複数指定してもよい。代替コンテンツ名として、複数の代替コンテンツ名が記憶された場合は、それらの代替コンテンツの優先順位は同一であることを示す。そして、表示装置３０は、優先順位が同一の代替コンテンツの中から、表示する代替コンテンツを選択することができる。例えば、表示装置３０は、優先順位が同一である代替コンテンツを、順に表示する。具体的には、代替コンテンツ名が「ＣＭ１  ｏｒ  ＣＭ３」と記憶されていた場合は、表示装置３０は、「ＣＭ１」に対応する特定代替コンテンツと、「ＣＭ３」に対応する特定代替コンテンツとを、順に表示する。なお、表示装置３０は、優先順位が同一である代替コンテンツから選択した１のコンテンツを選択して表示してもよい。また、優先順位が同一である代替コンテンツが特定代替コンテンツで、かつ、短い動画等である場合は、表示装置３０は、特定代替コンテンツを複数回表示することが可能である。このとき、表示装置３０は、代替コンテンツを表示する度に、現在時刻とスケジュール情報に基づき、現在時刻近い時間帯に表示するコンテンツに対応する特定代替コンテンツを表示してもよい。
【００４５】
また、優先順位情報１３０は、代替コンテンツの優先順位を特定することができれば、図４に示したような形式で表現しなくても構わない。例えば、優先順位情報１３０を、代替コンテンツ毎に所定の方法によって算出したスコアを付与した情報を記憶してもよい。また、代替コンテンツ属性に基づいて優先順位を決定してもよく、優先順位情報１３０として、優先順位を高める属性や、優先順位を低める属性に関する情報を記憶してもよい。このように、優先順位情報１３０に優先順位が直接記憶されていない場合は、表示装置３０は、優先順位情報１３０に基づき、優先順位を決定した上で代替コンテンツを表示する。
【００４６】
簡易再生部仕様情報１３２は、表示装置３０が備える簡易再生部３３０の仕様を、管理サーバ装置１０に接続された表示装置３０毎に示した情報である。図５は、本実施形態における簡易再生部仕様情報の例を示した図である。図５に示すように、簡易再生部仕様情報として、表示装置３０を識別するための表示装置ＩＤ（例えば、「０００１」）と、簡易再生部３３０の仕様として、簡易再生部３３０が再生可能な動画のフレームレートの上限を示す再生可能フレームレート（例えば、「１５フレーム／秒」）とが記憶される。なお、簡易再生部３３０の仕様としては、再生可能なコンテンツの形式、再生可能なビットレート、再生可能なコンテンツの上限サイズ等が記憶されてもよい。
【００４７】
なお、記憶部１２０には、コンテンツの表示に関する表示情報を含めてもよい。例えば、１のコンテンツ名に対して、複数のコンテンツが対応付けられている場合は、コンテンツ毎の表示時間を表示情報として記憶してもよい。また、表示装置３０の表示部３５０の表示領域を複数の領域に分割し、それぞれの領域にコンテンツを表示する場合は、領域の情報と、コンテンツ名とを列挙したリストを表示情報として記憶してもよい。表示領域を矩形の領域とした場合は、矩形領域の対角となる２つの座標と、その領域で表示するコンテンツのコンテンツ名とをカンマ区切りで記載したＣＳＶファイルを、記憶部１２０に記憶する。また、スケジュール情報のコンテンツ名として、当該ＣＳＶファイルのファイル名を記憶させ、表示情報に基づき、複数のコンテンツが表示されるようにしてもよい。
【００４８】
［１．２．２  制御装置の機能構成］
制御装置２０の機能構成について、図６を参照して説明する。図６に示すように、制御装置２０は制御部２００と、通信部２１０と、映像出力部２２０と、記憶部２３０とを備えて構成される。
【００４９】
制御部２００は、制御装置２０の全体を制御するための機能部である。制御部２００は、各種プログラムを読み出して実行することにより各種機能を実現しており、１又は複数の演算装置（例えば、ＣＰＵ）により構成されている。
【００５０】
通信部２１０は、制御装置２０が外部機器と通信を行うための機能部である。例えば、有線／無線ＬＡＮで利用されるＮＩＣにより構成される。通信方式としては、ＥｔｈｅｒｎｅｔやＩＥＥＥ８０２．１１ａ／ｂ／ｇ／ｎであってもよい。
【００５１】
映像出力部２２０は、後述するコンテンツ記憶領域２３２に記憶されたコンテンツの映像信号を、表示装置３０に出力する機能部である。映像出力部２２０は、例えば、端子として構成され、ＨＤＭＩや、ディスプレイポート、ＵＳＢ（Universal Serial Bus）  ＴｙｐｅＣ等の何れかの方式で接続される。また、コンポジットで接続された場合等、映像信号と音声信号とを別に接続してもよい。
【００５２】
記憶部２３０は、制御装置２０の動作に必要な各種プログラムや、各種データを記憶する機能部である。記憶部２３０は、例えば、半導体メモリであるＳＳＤや、ＨＤＤ等により構成される。
【００５３】
本実施形態において、記憶部２３０には、コンテンツ記憶領域２３２とスケジュール情報記憶領域２３４とが確保される。コンテンツ記憶領域２３２は、管理サーバ装置１０から送信されるコンテンツを記憶する領域である。スケジュール情報記憶領域２３４は、管理サーバ装置１０から送信されるスケジュール情報を記憶する領域である。
【００５４】
なお、管理サーバ装置１０は、制御装置２０に対して、コンテンツ記憶領域１２２に記憶されているコンテンツの一部を送信してもよい。また、管理サーバ装置１０は、制御装置２０に対して、スケジュール情報記憶領域１２４に記憶されているスケジュール情報の一部を送信してもよい。例えば、コンテンツを１日毎に定期的に送信する場合は、１日分のコンテンツとスケジュール情報とを制御装置２０へ送信する。
【００５５】
［１．２．３  表示装置の機能構成］
表示装置３０の機能構成について、図７を参照して説明する。図７に示すように、表示装置３０は制御部３００と、通信部３１０と、映像入力部３２０と、簡易再生部３３０と、入力切替部３４０と、表示部３５０と、記憶部３６０とを備えて構成される。
【００５６】
制御部３００は、表示装置３０の全体を制御するための機能部である。制御部３００は、各種プログラムを読み出して実行することにより各種機能を実現しており、１又は複数の演算装置（例えば、ＣＰＵ）により構成されている。
【００５７】
通信部３１０は、表示装置３０が外部機器と通信を行うための機能部である。例えば、有線／無線ＬＡＮで利用されるＮＩＣにより構成される。通信方式としては、ＥｔｈｅｒｎｅｔやＩＥＥＥ８０２．１１ａ／ｂ／ｇ／ｎであってもよい。
【００５８】
映像入力部３２０は、制御装置２０の映像出力部２２０から出力される映像信号を受信する機能部である。映像入力部３２０は、例えば端子として構成され、映像出力部２２０と映像入力部３２０とが接続される。
【００５９】
簡易再生部３３０は、後述する特定代替コンテンツ記憶領域３６２及び汎用代替コンテンツ記憶領域３６４に記憶されている代替コンテンツを読み出し、読み出した代替コンテンツに基づく映像信号を、入力切替部３４０に出力する機能部である。なお、説明の都合上、静止画データを簡易再生部３３０によって表示する場合も、簡易再生部３３０が再生する、と記載することとする。
【００６０】
簡易再生部３３０は、表示装置３０が予め有している簡易的な再生機能であってもよいし、後付けで拡張される再生機能で有ってもよい。後付けで拡張される場合は、例えば専用の拡張ボードが搭載されたり、ＨＤＭＩ（登録商標）や、ＵＳＢに接続される簡易再生装置によって実現されたりしてもよい。簡易再生装置としては、Android、iOS、Windows Embedded、TRONといったＯＳを搭載したものに、再生機能を実装したものや、専用の再生機能のアプリケーションが組み込まれたものであってもよい。
【００６１】
簡易再生部３３０に、例えば、コンテンツが格納されたＵＳＢメモリや、ＳＤカードといった記憶媒体が接続されることで、接続された記憶媒体に記憶されているコンテンツを、簡易再生部３３０により出力することができる。
【００６２】
ここで、簡易再生とは、コンテンツの通常再生と比較して、再生における動作・機能が制限されることをいう。例えば、通常のコンテンツの再生と比較し、容量が小さいコンテンツや、ビットレートやフレームレートの低いコンテンツが再生可能な機能をいう。また、再生可能なフォーマットも、通常に比べると限定されている場合がある。
【００６３】
なお、本実施形態では、簡易再生として説明するが、将来的な技術革新や、コストの低下に伴い、通常の再生機能（すなわち、通常のコンテンツと同じデータサイズや、ビットレートのコンテンツ）と同等のものが提供されてもよいことは勿論である
【００６４】
入力切替部３４０は、映像入力部３２０及び簡易再生部３３０から出力される映像信号を入力し、表示部３５０に対して出力する映像信号を切り替える機能部である。表示部３５０により、制御装置２０から出力されるコンテンツ又は表示装置３０で簡易再生する代替コンテンツのどちらか一方が、表示部３５０によって出力されることとなる。
【００６５】
表示部３５０は、コンテンツ及び代替コンテンツに基づく映像を出力するための機能部である。例えば、ＬＣＤ（Liquid Crystal Display）や、有機ＥＬ(OLED)ディスプレイといった表示装置や、プロジェクタといった照射装置等により構成されている。
【００６６】
記憶部３６０は、表示装置３０の動作に必要な各種プログラムや、各種データを記憶する機能部である。記憶部３６０は、例えば、半導体メモリであるＳＳＤや、ＨＤＤ等により構成される。
【００６７】
本実施形態において、記憶部３６０には、特定代替コンテンツ記憶領域３６２と、汎用代替コンテンツ記憶領域３６４とが確保され、更に優先順位情報３６６が記憶される。
【００６８】
特定代替コンテンツ記憶領域３６２は、管理サーバ装置１０から送信される特定代替コンテンツを記憶する領域である。汎用代替コンテンツ記憶領域３６４は、管理サーバ装置１０から送信される汎用代替コンテンツを記憶する領域である。また、優先順位情報３６６として、管理サーバ装置１０から送信される優先順位情報１３０が記憶される。
【００６９】
［１．３  処理の流れ］
つづいて、本実施形態における処理について、図を用いて説明する。なお、本実施形態において説明するシーケンス、動作フローは一例であり、動作の影響にない範囲で、処理の順序等が前後したり、一部の処理を同時に実行したりしてもよいことは勿論である。
【００７０】
［１．３．１  処理の概略］
図８を参照して、本実施形態の処理の概略について説明する。図８は、管理サーバ装置１０と、制御装置２０と、表示装置３０との全体の処理の流れを説明するためのシーケンス図である。
【００７１】
まず、制御装置２０はスケジュール情報に基づいてコンテンツの映像信号を出力し、表示装置３０がコンテンツを表示することにより、スケジュール情報に基づいてコンテンツを表示している状態であるとする（Ｓ１００２）。
【００７２】
この状態において、管理サーバ装置１０は、予め表示装置３０に、代替コンテンツである特定代替コンテンツと、汎用代替コンテンツとを送信する（Ｓ１０１２）。表示装置３０は、受信した特定代替コンテンツを特定代替コンテンツ記憶領域３６２に、受信した汎用代替コンテンツを汎用代替コンテンツ記憶領域３６４に記憶する。表示装置３０は、管理サーバ装置１０から送信される代替コンテンツの受信が完了した場合は、管理サーバ装置１０に受信完了通知を送信する（Ｓ１０１４）。受信完了通知とは、管理サーバ装置１０から送信されたコンテンツ等を適切に受信できたことを示す通知である。管理サーバ装置１０は、表示装置３０から送信される受信完了通知を受信することにより、代替コンテンツが表示装置３０へ適切に送信できたことを検知することが可能である。
【００７３】
なお、管理サーバ装置１０は、簡易再生部仕様情報１３２を参照して、代替コンテンツのうち、簡易再生部３３０が再生可能な代替コンテンツに限って表示装置３０へ送信してもよい。このようにすることで、ネットワークのトラフィックの増加を抑え、また、表示装置３０に余分な負荷を与えることを避けることができる。
【００７４】
つづいて、コンテンツを制御装置２０に送信するタイミングになったときは、管理サーバ装置１０は、優先順位情報を生成し、優先順位情報１３０として記憶する（Ｓ１０２２）。そして、管理サーバ装置１０は表示装置３０に対して、優先順位情報１３０を含む簡易再生表示要求を送信する（Ｓ１０２４）。簡易再生表示要求とは、表示装置３０に、簡易再生部３３０による代替コンテンツの出力を開始させるための要求である。優先順位情報１３０を含む簡易再生表示要求を受信した表示装置３０は、受信した優先順位情報１３０を、優先順位情報３６６として記憶する。
【００７５】
つづいて、表示装置３０は、簡易再生部３３０から出力される映像信号に基づく表示を行うように、表示部３５０に出力する映像信号を入力切替部３４０によって切り替える（Ｓ１０２６）。そして、表示装置３０は、優先順位情報３６６に基づいて、簡易再生する代替コンテンツを特定し（Ｓ１０２８）、特定した代替コンテンツを、簡易再生部３３０で簡易再生する（Ｓ１０３０）。
【００７６】
表示装置３０によって代替コンテンツが簡易再生されているときに、管理サーバ装置１０は、制御装置２０に対して、コンテンツとスケジュール情報との送信を行う。はじめに、管理サーバ装置１０は、制御装置２０に対して、コンテンツ出力停止要求を送信する（Ｓ１０３２）。コンテンツ出力停止要求は、コンテンツの映像信号を映像出力部２２０から出力することを停止する要求である。コンテンツ出力停止要求を受信した制御装置２０は、コンテンツの出力を停止する（Ｓ１０３４）。
【００７７】
そして、管理サーバ装置１０は制御装置２０に対して、スケジュール情報とコンテンツとを送信する（Ｓ１０３６）。制御装置２０は、管理サーバ装置１０から受信したコンテンツをコンテンツ記憶領域１２２に記憶する。また、管理サーバ装置１０から受信したスケジュール情報をスケジュール情報記憶領域１２４に記憶する。
【００７８】
制御装置２０は、管理サーバ装置１０から送信されるコンテンツとスケジュール情報との受信が完了した場合は、管理サーバ装置１０に受信完了通知を送信する（Ｓ１０３８）。管理サーバ装置１０は、制御装置２０から送信される受信完了通知を受信することにより、コンテンツとスケジュール情報とが制御装置２０へ適切に送信できたことを検知することが可能である。
【００７９】
つづいて、管理サーバ装置１０は表示装置３０に対して、簡易再生停止要求を送信する（Ｓ１０４０）。簡易再生停止要求とは、表示装置３０に対する、簡易再生部３３０による代替コンテンツの出力の停止の要求である。表示装置３０は、簡易再生停止要求を受信することにより、簡易再生部３３０による代替コンテンツの再生を停止する（Ｓ１０４２）。
【００８０】
また、管理サーバ装置１０は、表示装置３０に対して、表示切替要求を送信する（Ｓ１０４４）。表示切替要求を受信した表示装置３０は、制御装置２０から出力される映像信号に基づく表示を行うように、表示部３５０に出力する映像信号を入力切替部３４０によって切り替える（Ｓ１０４６）。そして、表示装置３０は、管理サーバ装置１０に対して、表示切替応答を送信する（Ｓ１０４８）。
【００８１】
また、管理サーバ装置１０は制御装置２０に対してコンテンツ出力開始要求を送信する（Ｓ１０５０）。コンテンツ出力開始要求は、スケジュール情報に基づいてコンテンツの映像信号を出力することを開始する要求である。このようにすることで、制御装置２０はコンテンツの映像信号の出力を開始し（Ｓ１０５２）、表示装置３０によってコンテンツが表示される（Ｓ１０５４）。
【００８２】
なお、表示切替要求、簡易再生表示要求、簡易再生停止要求、コンテンツ出力開始要求、コンテンツ出力停止要求については、コマンドの実行や、所定のデータを含めたＩＰ（Internet Protocol）パケットの送信を行えばよく、また、その他要求が送信できれば、何れの方法を用いてもよい。また、表示切替応答及び受信完了通知については、適切に応答・通知が送信できれば、何れの方法を用いてもよい。
【００８３】
［１．３．２  管理サーバ装置の処理の流れ］
図９と図１０とを参照して、管理サーバ装置１０のメイン処理の流れについて説明する。まず、制御部１００は、コンテンツとスケジュール情報とを記憶する（ステップＳ１０２）。具体的には、例えばサイネージシステムの管理者が、広告主等から入稿されたコンテンツをコンテンツ記憶領域１２２に記憶し、管理者が作成したスケジュール情報をスケジュール情報記憶領域１２４に記憶することによって行う。
【００８４】
つづいて、制御部１００は、特定代替コンテンツを記憶する（ステップＳ１０４）。特定代替コンテンツは、既に説明したように、コンテンツ記憶領域１２２に記憶されたコンテンツをコピー又は変換して特定代替コンテンツ記憶領域１２６に記憶してもよいし、管理者や広告主が用意したコンテンツを特定代替コンテンツ記憶領域１２６に記憶してもよい。
【００８５】
つづいて、制御部１００は、汎用代替コンテンツを記憶する（ステップＳ１０６）。汎用代替コンテンツの記憶は、例えば、管理者や広告主が用意したコンテンツを汎用代替コンテンツ記憶領域１２８に記憶することによって行う。
【００８６】
つづいて、制御部１００は、代替コンテンツである特定代替コンテンツと汎用代替コンテンツとを表示装置３０に送信する（ステップＳ１０８）。そして、制御部１００は、表示装置３０から受信完了通知を受信したか否かを判定する（ステップＳ１１０）。受信完了通知を受信した場合は、ステップＳ１１２へ移る（ステップＳ１１０；Ｙｅｓ）。受信完了通知を受信しない場合は、受信完了通知を受信するまでステップＳ１１０の判定を続ける（ステップＳ１１０；Ｎｏ）。このとき、所定の時間内に代替コンテンツ送信完了通知が受信できなかった場合は、再度、表示装置３０に対して、代替コンテンツの送信を行ってもよい。
【００８７】
つづいて、制御部１００は、コンテンツ記憶領域１２２に記憶されたコンテンツのうち、制御装置２０に対して未送信のコンテンツがあるか否かを判定する（ステップＳ１１２）。未送信のコンテンツがある場合は、管理サーバ装置１０は表示装置３０に対して、表示切替要求を送信する（ステップＳ１１２；Ｙｅｓ→ステップＳ１１４）。そして、制御部１００は、表示装置３０から表示切替応答を受信したか否かを判定する（ステップＳ１１６）。ステップＳ１１６において、制御部１００は、表示装置３０から表示切替応答を受信することにより（ステップＳ１１６；Ｙｅｓ）、表示装置３０が制御装置２０から出力されたコンテンツを表示していることを検知することができる。
【００８８】
ステップＳ１１２の処理は、コンテンツが記憶される度に実行されてもよいし、１日のうちの特定の時刻や毎月１回決められた時刻等といったように、定期的に実行されてもよい。また、緊急的にコンテンツを送信する必要がある場合は、管理者の指示によって実行されてもよい。
【００８９】
また、ステップＳ１１６は、表示装置３０から送信される表示切替応答を受信するまで繰り返すが（ステップＳ１１６；Ｎｏ）、予め定められた所定の時間内に表示切替応答が受信できなかった場合は、メイン処理を終了することにより、コンテンツの送信を中止してもよい。この場合は、更に別のタイミングに、再度メイン処理を行ってもよい。
【００９０】
表示装置３０から表示切替応答を受信した場合は、つづいて、制御部１００は、優先順位情報を生成する（ステップＳ１１６；Ｙｅｓ→ステップＳ１１８）。
【００９１】
代替コンテンツに対する優先順位は、例えば、下記の順に決定する。
（１）コンテンツ送信時に制御装置２０が出力することとなっていたコンテンツ
図８で既に説明したように、管理サーバ装置１０が制御装置２０にコンテンツを送信するときは、制御装置２０はコンテンツの出力を停止している（Ｓ１０３４）。したがって、本来出力されるはずだったコンテンツが、制御装置２０から出力されないこととなる。これに対応するためには、代替コンテンツは、本来出力されるはずだったコンテンツであることが望ましい。
【００９２】
そこで、制御部１００はスケジュール情報記憶領域１２４からスケジュール情報を読み出して、制御装置２０に対してコンテンツを送信する時刻における出力コンテンツを特定する。そして、コンテンツを送信する時刻における出力コンテンツに対応する特定代替コンテンツを、最も優先順位の高い代替コンテンツとする。
【００９３】
（２）コンテンツを送信時の前後の時間帯に制御装置２０が出力するコンテンツ
制御部１００はスケジュール情報記憶領域１２４からスケジュール情報を読み出して、制御装置２０に対してコンテンツを送信する時刻の前後の時間帯における出力コンテンツを特定する。そして、特定した出力コンテンツに対応する特定代替コンテンツを、次に優先順位の高い代替コンテンツとする。
【００９４】
一般的に、デジタルサイネージは、その時間帯に最も広告効果のあるコンテンツが出力される。したがって、最も優先順位の高い特定代替コンテンツが出力できない場合であっても、近傍の時間帯に出力されるコンテンツに対応する特定代替コンテンツを出力することで、相当の広告効果を期待することができる。
【００９５】
なお、近傍の時間帯として参照する範囲を制限してもよい。例えば、コンテンツを送信する時刻の前後３時間以内の時間帯における出力コンテンツに対して優先順位を決定したり、コンテンツを送信する時間帯の前２つの時間帯及び後２つの時間帯における出力コンテンツに対して優先順位を決定したりする。このように、優先順位を決定する範囲を制限することにより、広告効果があまり期待できないコンテンツに対応する代替コンテンツが出力されてしまうことを防ぐことが可能となる。なお、近傍として、どの範囲の時間帯までを参照するかについては、管理サーバ装置１０が予め設定してもよいし、管理者によって設定されてもよい。
【００９６】
（３）汎用代替コンテンツ
スケジュール情報記憶領域１２４に記憶されたスケジュール情報に基づく明確な代替コンテンツを特定できない場合は、汎用代替コンテンツを次に優先順位の高い代替コンテンツとする。
【００９７】
上述した（１）〜（３）の順に代替コンテンツの優先順位を決定したら、制御部１００は、優先順位と、代替コンテンツ名とを、優先順位情報１３０として記憶する。そして、制御部１００は、表示装置３０に対して、優先順位情報１３０を含む簡易再生表示要求を送信する（ステップＳ１２０）。
【００９８】
図１０に移り、つづいて、制御部１００は、制御装置２０に対してコンテンツ出力停止要求を送信し（ステップＳ１２２）、さらに、制御装置２０にコンテンツとスケジュール情報とを送信する（ステップＳ１２４）。
【００９９】
つづいて、制御部１００は、制御装置２０から受信完了通知を受信した場合は（ステップＳ１２６；Ｙｅｓ）、表示装置３０に対して、簡易再生停止要求と、表示切替要求とを送信する（ステップＳ１２８→ステップＳ１３０）。
【０１００】
表示装置３０から、表示切替応答を受信した場合は、管理サーバ装置１０は制御装置２０に対して、コンテンツ出力開始要求を送信して、制御装置２０に対して、コンテンツの出力の開始を要求する（ステップＳ１３２；Ｙｅｓ→ステップＳ１３４）。このようにすることで、表示装置３０が制御装置２０から出力される映像信号に基づく表示を行うことができる。
【０１０１】
つづいて、制御部１００は終了操作がされたか否かを判定する（ステップＳ１３６）。終了操作としては、電源ＯＦＦの操作であったり、メイン処理を終了する操作であったりする。このような操作があった場合には、本処理を終了する（ステップＳ１３６；Ｙｅｓ）。終了操作がされなかった場合は、ステップＳ１０２へ戻る（ステップＳ１３６；Ｎｏ→ステップＳ１０２）。
【０１０２】
［１．３．３  制御装置の処理の流れ］
図１１を参照して、制御装置２０のメイン処理の流れについて説明する。はじめに、制御装置２０は、スケジュール情報に基づいてコンテンツの出力を行う（ステップＳ１４２）。コンテンツの出力は、まず、制御部２００がスケジュール情報を読み出し、現在の時刻において出力するコンテンツを特定する。そして、制御部２００は、特定したコンテンツを読み出し、コンテンツの映像信号を映像出力部２２０から出力する。このようにすることで、スケジュール情報に沿って、コンテンツを表示装置３０に表示制御することができる。
【０１０３】
つづいて、制御部２００は、管理サーバ装置１０からコンテンツ出力停止要求を受信したかを判定する（ステップＳ１４４）。コンテンツ出力停止要求を受信したら、コンテンツの出力を停止する（ステップＳ１４４；Ｙｅｓ→ステップＳ１４６）。コンテンツの出力の停止は、制御部２００は、読み出したコンテンツに基づく映像信号を映像出力部２２０から出力する処理を停止し、また、スケジュール情報記憶領域２３４に記憶されたスケジュール情報の読み出しを停止することにより実現する。
【０１０４】
つづいて、制御部２００は、管理サーバ装置１０からコンテンツとスケジュール情報とを受信したか否かを判定する（ステップＳ１４８）。管理サーバ装置１０からコンテンツとスケジュール情報とを受信した場合は、受信したコンテンツをコンテンツ記憶領域２３２に記憶し、受信したスケジュール情報をスケジュール情報記憶領域２３４に記憶する（ステップＳ１５０）。そして、コンテンツの記憶が完了したら、制御部２００は、管理サーバ装置１０に対して、受信完了通知を送信する（ステップＳ１５２）。
【０１０５】
つづいて、制御部２００は、管理サーバ装置１０からコンテンツ出力開始要求を受信したかを判定する（ステップＳ１５４）。コンテンツ出力開始要求を受信したら、コンテンツの出力を開始する（ステップＳ１５４；Ｙｅｓ→ステップＳ１５６）。コンテンツの出力は、ステップＳ１４２と同様の処理を行えばよい。
【０１０６】
つづいて、終了操作がされたかを判定する（ステップＳ１５８）。終了操作としては、電源ＯＦＦの操作であったり、メイン処理を終了する操作であったりする。このような操作があった場合には、メイン処理を終了する（ステップＳ１５８；Ｙｅｓ）。終了操作がされなかった場合は、ステップＳ１４４へ戻る（ステップＳ１５８；Ｎｏ→ステップＳ１４４）。
【０１０７】
［１．３．４  表示装置の処理の流れ］
図１２と、図１３とを参照して、表示装置３０のメイン処理の流れについて説明する。はじめに、入力切替部３４０は、表示部３５０に出力する映像信号を、映像入力部３２０を介して制御装置２０から入力されたコンテンツに基づく映像信号に切り替える（ステップＳ１６２）。
【０１０８】
つづいて、制御部３００は、管理サーバ装置１０から、代替コンテンツを受信したか否かを判定する（ステップＳ１６４）。管理サーバ装置１０から代替コンテンツを受信した場合は、受信した特定代替コンテンツ記憶領域１２６を特定代替コンテンツ記憶領域３６２に記憶し、汎用代替コンテンツを汎用代替コンテンツ記憶領域３６４に記憶する（ステップＳ１６４；Ｙｅｓ→ステップＳ１６６）。代替コンテンツの受信が完了したら、制御部３００は、管理サーバ装置１０に、受信完了通知を送信する（ステップＳ１６８）。
【０１０９】
つづいて、制御部３００は、管理サーバ装置１０から送信される優先順位情報１３０を含む簡易再生表示要求を受信したか否かを判定する（ステップＳ１７０）。管理サーバ装置１０から優先順位情報１３０を含む簡易再生表示要求を受信した場合は、制御部３００は、受信した優先順位情報１３０を、優先順位情報３６６として記憶する（ステップＳ１７０；Ｙｅｓ→ステップＳ１７２）。そして、入力切替部３４０は、表示部３５０に出力する映像信号を、簡易再生部３３０から出力される映像信号に切り替える（ステップＳ１７４）。
【０１１０】
つづいて、制御部３００は、優先順位情報３６６から、優先順位が最も高い代替コンテンツを特定する（ステップＳ１７６）。優先順位情報３６６に、優先順位と代替コンテンツ名が記憶されている場合は、優先順位が「１」である代替コンテンツ名に基づき代替コンテンツを特定する。優先順位情報３６６が、スコアや属性の情報であれば、制御部３００は、スコアや属性の情報に基づき代替コンテンツの優先順位を算出し、優先順位の最も高い代替コンテンツを特定する。
【０１１１】
つづいて、制御部３００は、特定した代替コンテンツが特定代替コンテンツ記憶領域３６２又は汎用代替コンテンツ記憶領域３６４に記憶されているか否かを判定する（ステップＳ１７８）。特定した代替コンテンツが記憶されている場合は、つづいて、簡易再生部３３０は、代替コンテンツが再生可能か否かを判定する（ステップＳ１７８；Ｎｏ→ステップＳ１８０）。代替コンテンツが再生可能であれば、簡易再生部３３０は代替コンテンツを簡易再生する（ステップＳ１８０；Ｙｅｓ→ステップＳ１８２）。このようにして、代替コンテンツが表示部３５０に表示される。なお、代替コンテンツが複数ある場合は、代替コンテンツを順に簡易再生したり、代替コンテンツの中の一部のコンテンツを簡易再生したりしてもよい。
【０１１２】
代替コンテンツが特定代替コンテンツ記憶領域３６２及び汎用代替コンテンツ記憶領域３６４に記憶されていない場合（ステップＳ１７８；Ｎｏ）や、簡易再生部３３０で再生可能でない場合（ステップＳ１８０；Ｎｏ）は、制御部３００は、次に優先順位が高い出力代替コンテンツを特定し、ステップＳ１７８へ戻る（ステップＳ１８４→ステップＳ１７８）。
【０１１３】
代替コンテンツが特定代替コンテンツ記憶領域３６２及び汎用代替コンテンツ記憶領域３６４に記憶されていない場合とは、管理サーバ装置１０から代替コンテンツが送信されなかった場合である。具体的な場合として、管理サーバ装置１０が、簡易再生部３３０で再生できない代替コンテンツを送信しなかったときや、代替コンテンツが管理サーバ装置１０に記憶されていないときが挙げられる。
【０１１４】
また、簡易再生部３３０で再生可能でない場合とは、代替コンテンツは記憶されているものの、簡易再生部３３０では再生できない場合である。具体的な場合として、管理サーバ装置１０が、コンテンツを変換して代替コンテンツを生成したものの、生成された代替コンテンツが簡易再生部３３０で再生できないときが挙げられる。
【０１１５】
図１３に移り、つづいて、制御部３００は、管理サーバ装置１０から簡易再生停止要求を受信した場合は、制御部３００は、簡易再生部３３０による代替コンテンツの出力を停止する制御を行う（ステップＳ１８６；Ｙｅｓ→ステップＳ１８８）。
【０１１６】
つづいて、制御部３００は、管理サーバ装置１０から表示切替要求を受信したか否かを判定する（ステップＳ１９０）。管理サーバ装置１０から表示切替要求を受信した場合は、入力切替部３４０は、表示部３５０に出力する映像信号を、映像入力部３２０を介して制御装置２０から入力されたコンテンツに基づく映像信号に切り替える（ステップＳ１９０；Ｙｅｓ→ステップＳ１９２）。また、制御部３００は、管理サーバ装置１０に表示切替応答を送信する（ステップＳ１９４）。
【０１１７】
つづいて、制御部３００は、終了操作がされたかを判定する（ステップＳ１９６）。終了操作としては、電源ＯＦＦの操作であったり、メイン処理を終了する操作であったりする。このような操作があった場合には、メイン処理を終了する（ステップＳ１９６；Ｙｅｓ）。終了操作がされなかった場合は、ステップＳ１６４戻る（ステップＳ１９６；Ｎｏ→ステップＳ１６４）。
【０１１８】
［１．４  動作例］
図を参照して、本実施形態の動作例について説明する。なお、動作例の説明においては、コンテンツはファイルとして記憶され、ファイル名によってコンテンツを識別することとする。また、特定代替コンテンツはファイルとして記憶され、ファイル名の先頭からハイフンまでを対応コンテンツ名とする。
【０１１９】
図１４（ａ）は、コンテンツのスケジュール情報の例を示した図である。図１４（ａ）は、７月１日の１０：００〜１２：００の時間帯には、「ＣＭ１」のコンテンツを、１２：００〜１３：００の時間帯には、「ＣＭ２」のコンテンツを、１３：００〜１６：００の時間帯には、「ＣＭ３」のコンテンツを、１６：００〜１８：００の時間帯には、「ＣＭ４」のコンテンツを出力することを示している。
【０１２０】
図１４（ｂ）は、管理者Ａ１００が、管理サーバ装置１０に記憶するファイルを示した図である。管理者Ａ１００は、図１４（ａ）に示すように、スケジュール情報を記述したファイル（「sche0701.dat」）と、コンテンツ（「CM1.avi」、「CM2.avi」、「CM3.avi」、「CM4.avi」）と、汎用代替コンテンツ（「hanyou.jpg」、「hanyou.avi」）を用意し、管理サーバ装置１０に記憶させる。このとき、コンテンツはコンテンツ記憶領域１２２に、スケジュール情報はスケジュール情報記憶領域１２４に、汎用代替コンテンツは汎用代替コンテンツ記憶領域１２８に、それぞれ記憶される。
【０１２１】
つづいて、図１５（ａ）は、管理サーバ装置１０がコンテンツに対応する表示用ファイルを変換して、特定代替コンテンツ記憶領域１２６として記憶することを示す図である。図１５（ａ）に示すように、コンテンツ記憶領域１２２に記憶された「CM1.avi」、「CM2.avi」、「CM3.avi」、「CM4.avi」について、管理サーバ装置１０は、それぞれのファイルを表示装置３０で再生可能なコンテンツに変換する。そして、変換したファイルを「CM1-s.avi」、「CM2-s.avi」、「CM3-s.avi」、「CM4-s.avi」として、特定代替コンテンツ記憶領域１２６に記憶する。このように、管理サーバ装置１０がファイルを変換することにより、管理者Ａ１００が特定汎用代替コンテンツを別に用意する必要がなくなる。また、特定代替コンテンツはファイル名によってコンテンツと対応付けられる。例えば、ファイル名が「CM1-s.avi」である特定代替コンテンツは、「ＣＭ１」のコンテンツに対応する特定代替コンテンツであることが識別可能である。
【０１２２】
そして、図１５（ｂ）に示すように、管理サーバ装置１０が表示装置３０に代替コンテンツを送信することで、表示装置３０には、特定代替コンテンツと、汎用代替コンテンとが記憶される。
【０１２３】
図１６（ａ）は、制御装置２０及び表示装置３０によって「ＣＭ２」が出力される時間帯と、「ＣＭ４」が出力される時間帯に、管理サーバ装置１０からのコンテンツの送信がされた場合におけるスケジュールを示したものである。コンテンツを送信するタイミングのうち、「ＣＭ２」が出力される時間帯におけるコンテンツの送信を「コンテンツ送信Ａ」と、「ＣＭ４」が出力される時間帯におけるコンテンツの送信を「コンテンツ送信Ｂ」として、それぞれ示している。なお、本来であれば、コンテンツの出力中にコンテンツを送信することは望ましくない。しかし、緊急的にコンテンツを送信する場合や、２４時間営業している店舗においてデジタルサイネージを利用する場合は、コンテンツの出力中にコンテンツを送信することが起こる。
【０１２４】
図１６（ｂ）は、コンテンツ送信Ａにおける出力代替コンテンツの優先順位を示したものである。図１６（ｂ）に示すように、本来であれば「ＣＭ２」が出力される時間帯において代替コンテンツを出力するため、代替コンテンツとして「ＣＭ２」に対応する特定代替コンテンツが出力されることが望ましい。したがって、出力代替コンテンツとしては、「ＣＭ２」に対応する特定代替コンテンツの優先順位が最も高い。
【０１２５】
次に、コンテンツ送信Ａがされる時間帯の近傍の時間帯において出力されるコンテンツに対応する特定代替コンテンツの優先順位を高くする。コンテンツ送信Ａのタイミングに近い時間帯に応じて、「ＣＭ１」に対応する特定代替コンテンツ、「ＣＭ３」に対応する特定代替コンテンツ、「ＣＭ４」に対応する特定代替コンテンツの順で高い優先順位とする。そして、いつ出力してもよい動画である汎用動画コンテンツや、いつ出力してもよい静止画である汎用静止画コンテンツに対しても、優先順位を決定する。
【０１２６】
管理サーバ装置１０は、上述のように優先順位を決定し、優先順位情報１３０として記憶する。そして、優先順位情報１３０を含めた簡易再生表示要求を表示装置３０へ送信する。
【０１２７】
表示装置３０は、管理サーバ装置１０から受信した優先順位情報１３０を優先順位情報３６６として記憶する。そして、優先順位の高い方から、出力代替コンテンツを特定する。図１６（ｂ）の例では、最も優先順位が高い出力代替コンテンツは「ＣＭ２」に対応する特定代替コンテンツである。そこで、表示装置３０は、特定代替コンテンツ記憶領域３６２から、「ＣＭ２」に対応する特定代替コンテンツである「CM2-s.avi」を読み出して、再生を行う。
【０１２８】
なお、既に説明したように、「ＣＭ２」に対応する特定代替コンテンツ（本動作例であれば「CM2-s.avi」）が簡易再生部３３０によって再生できない場合は、「ＣＭ１」に対応する特定代替コンテンツを出力する。また、「ＣＭ１」に対応する特定代替コンテンツが簡易再生部３３０によって再生できない場合は、「ＣＭ３」に対応する特定代替コンテンツを出力するといったように、優先順位に沿って出力する代替コンテンツを決定する。このように優先順位を決定することにより、コンテンツ送信Ａがされている時間帯については、広告効果の高い代替コンテンツを優先して出力することが可能となる。
【０１２９】
図１６（ｃ）は、コンテンツ送信Ｂにおける、出力代替コンテンツの優先順位を示したものである。この場合においても、本来出力されるコンテンツである「ＣＭ４」の優先順位が最も高い。続いて、その近傍の時間帯に出力されるコンテンツである「ＣＭ３」、「ＣＭ２」、「ＣＭ１」、そして、いつ出力してもよい汎用動画コンテンツ、汎用静止画コンテンツの順に、優先順位を高くする。
【０１３０】
なお、コンテンツの送信がどの程度の時間で完了するかは、管理サーバ装置１０が制御装置２０へ送信するコンテンツの量や、管理サーバ装置１０や制御装置２０の状態や、ネットワークＮＷの状態によって変わる。したがって、簡易再生部３３０による代替コンテンツの再生については、時間調整を行ってもよい。例えば、出力する代替コンテンツが、再生時間が短い動画である場合は、動画の再生終了後に汎用静止画コンテンツを挿入して時間調整を行ってもよい。また、動画を繰り返し再生してもよい。
【０１３１】
本実施形態によれば、管理サーバ装置１０が制御装置２０にコンテンツを送信しているときに、本来出力されるコンテンツの代わりとなる代替コンテンツが表示装置３０によって出力される。そして、表示装置３０によって出力される代替コンテンツは、スケジュール情報に基づく優先順位によって特定されるため、広告効果が高く、デジタルサイネージとして適切な代替コンテンツを出力することができる。
【０１３２】
［２．第２実施形態］
つづいて第２実施形態について説明する。第２実施形態は第１実施形態と異なり、代替コンテンツの優先順位を管理サーバ装置ではなく、表示装置が決定する実施形態である。本実施形態は、第１実施形態の図２を図１７に、図７を図１８にそれぞれ置き換えたものである。また、一部の処理は、第１実施形態とは異なる。なお、同一の機能部及び処理には同一の符号を付し、説明については省略する。
【０１３３】
本実施形態の管理サーバ装置１２は、第１実施形態の管理サーバ装置１０と異なり、優先順位情報１３０が記憶されない。また、本実施形態の表示装置３２は、第１実施形態の表示装置３０と異なり、記憶部３６０にスケジュール情報記憶領域３６８が確保される。
【０１３４】
本実施形態の管理サーバ装置１２のメイン処理として、図９に示したフローの一部を修正した処理を実行する。具体的には、ステップＳ１１８の処理をスキップし、ステップＳ１２０において、制御部１００は、表示装置３０に対して、スケジュール情報を含む簡易再生表示要求を送信する。
【０１３５】
また、本実施形態の表示装置３２のメイン処理として、図１２に示したフローの一部を修正した処理を実行する。具体的には、ステップＳ１７０では、制御部３００は、スケジュール情報を含む簡易再生表示要求を受信したか否かを判定する。また、ステップＳ１７２においては、スケジュール情報を含む簡易再生表示要求を受信した場合は、制御部３００は、受信したスケジュール情報をスケジュール情報記憶領域３６８に記憶する。そして、ステップＳ１７２とステップＳ１７４の処理の間に、制御部３００は、スケジュール情報記憶領域３６８に記憶されたスケジュール情報に基づく優先順位を決定する処理を行う。優先順位の決定は、第１実施形態のステップＳ１１８と同様の処理によって行う。
【０１３６】
本実施形態によれば、代替コンテンツに対する優先順位を、管理サーバ装置１０ではなく、表示装置３０によって決定することが可能となる。したがって、優先順位を決定する処理の負荷を分散させることが可能となる。
【０１３７】
［３．第３実施形態］
つづいて第３実施形態について説明する。第３実施形態は、代替コンテンツの送信を、コンテンツの送信を開始するときに行う実施形態である。
【０１３８】
本実施形態は、管理サーバ装置１０は、コンテンツを制御装置２０に送信するときに、スケジュール情報を参照して、コンテンツ送信時において制御装置２０が出力するコンテンツを特定する。そして、特定したコンテンツに対応する特定代替コンテンツと、汎用代替コンテンツとを表示装置３０に送信する。表示装置３０は、管理サーバ装置１０から受信した特定代替コンテンツを特定代替コンテンツ記憶領域３６２に記憶し、受信した汎用代替コンテンツを汎用代替コンテンツ記憶領域３６４に記憶する。
【０１３９】
そして、管理サーバ装置１０は、表示装置３０に対して、簡易再生表示要求を送信する。簡易再生表示要求を受信した表示装置３０は、簡易再生部３３０で特定代替コンテンツ記憶領域３６２が再生可能であれば、特定代替コンテンツ記憶領域３６２を簡易再生して表示する。簡易再生部３３０で特定代替コンテンツが再生可能でない場合は、汎用代替コンテンツを再生して表示する。
【０１４０】
本実施形態によれば、特定代替コンテンツとして、コンテンツ送信時において制御装置２０が出力するコンテンツに対応する特定代替コンテンツのみが表示装置３０に送信されるため、表示装置３０の負荷の低減が期待できる。
【０１４１】
［４．適用例］
図１の例では、１台の管理サーバ装置１０に対して、２台の表示装置３０が接続された図を示したが、現実では、１台の管理サーバ装置１０に対して、相当数（例えば、１００台以上）の表示装置３０が接続される場合がある。このような場合において、管理サーバ装置１０が、表示装置３０毎にコンテンツを変換すると、コンテンツの変換の処理に対する時間が増大し、結果として、コンテンツの送信が完了するまでに時間がかかってしまう。
【０１４２】
そこで、コンテンツを、管理サーバ装置１０に接続された表示装置３０の中から、標準的な能力を有する簡易再生部３３０で再生可能なコンテンツに変換して、特定代替コンテンツ記憶領域１２６に記憶することとする。そして、特定代替コンテンツ記憶領域１２６と、汎用代替コンテンツ記憶領域１２８とを含んだ代替コンテンツを、各表示装置３０へ送信することとする。このようにすれば、管理サーバ装置１０に接続された表示装置３０のうち、標準的な能力以上の簡易再生部３３０を備える表示装置３０において、特定代替コンテンツ記憶領域１２６に基づく代替コンテンツを簡易再生部３３０で再生することが可能である。
【０１４３】
管理サーバ装置１０に接続された表示装置３０のうち、標準的な能力に満たない簡易再生部３３０を備える表示装置３０では、特定代替コンテンツ記憶領域１２６に基づく代替コンテンツを簡易再生部３３０で再生することができない。このような表示装置３０であっても、汎用代替コンテンツ記憶領域１２８に基づく代替コンテンツを表示することが可能である。
【０１４４】
このように、管理サーバ装置１０に、相当数の表示装置３０が接続されている場合であっても、管理者や広告主が代替コンテンツを用意したり、表示装置３０毎にコンテンツを変換したりしなくても、表示装置３０に代替コンテンツを表示させることが可能となる。そして、表示装置３０が表示する代替コンテンツは、表示装置３０によって決定されるため、表示装置３０に適した代替コンテンツを表示することができる。また、これにより、管理者も、代替コンテンツの表示のために必要な作業を少なくすることができる。
【０１４５】
［５．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１４６】
また、上述した各実施の形態においては、映像のコンテンツを表示することとして説明したが、コンテンツとして、音声コンテンツや、音声付きの動画コンテンツを出力しても構わないことは勿論である。その場合は、制御装置２０は、映像信号とともに音声信号を出力し、表示装置３０は音声信号を受信し、受信した音声信号をスピーカ等によって構成される音声出力部から出力する。
【０１４７】
また、上述した実施形態は、説明の都合上、それぞれ別に説明している部分があるが、技術的に可能な範囲で組み合わせて実行してもよいことは勿論である。
【０１４８】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭ（Read Only Memory）やＨＤＤ等の記憶装置に格納され、必要に応じてＣＰＵによって読み出し、修正・書き込みが行なわれる。
【０１４９】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ（Blu-ray Disc）（登録商標）等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１５０】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１５１】
１  コンテンツ表示システム
１０  管理サーバ装置
１００  制御部
１１０  通信部
１２０  記憶部
１２２  コンテンツ記憶領域
１２４  スケジュール情報記憶領域
１２６  特定代替コンテンツ記憶領域
１２８  汎用代替コンテンツ記憶領域
１３０  優先順位情報
１３２  簡易再生部仕様情報
２０  制御装置
２００  制御部
２１０  通信部
２２０  映像出力部
２３０  記憶部
２３２  コンテンツ記憶領域
２３４  スケジュール情報記憶領域
３０  表示装置
３００  制御部
３１０  通信部
３２０  映像入力部
３３０  簡易再生部
３４０  入力切替部
３５０  表示部
３６０  記憶部
３６２  特定代替コンテンツ記憶領域
３６４  汎用代替コンテンツ記憶領域
３６６  優先順位情報
３６８  スケジュール情報記憶領域
【図１】
2020030570.tif 000003
【図２】
2020030570.tif 000004
【図３】
2020030570.tif 000005
【図４】
2020030570.tif 000006
【図５】
2020030570.tif 000007
【図６】
2020030570.tif 000008
【図７】
2020030570.tif 000009
【図８】
2020030570.tif 000010
【図９】
2020030570.tif 000011
【図１０】
2020030570.tif 000012
【図１１】
2020030570.tif 000013
【図１２】
2020030570.tif 000014
【図１３】
2020030570.tif 000015
【図１４】
2020030570.tif 000016
【図１５】
2020030570.tif 000017
【図１６】
2020030570.tif 000018
【図１７】
2020030570.tif 000019
【図１８】
2020030570.tif 000020